(57)【要約】【課題】浴槽が壁体および扉で囲繞されており、浴室内外への移動が容易な浴室ユニットを提供する。【解決手段】浴室ユニット１００は、湯を溜める浴槽１と、浴槽１の下方に配設されたトラップ部７１と、浴槽１を囲繞するように浴槽１の周縁部１０に配設された壁体６１ａ等および扉２と、扉２を嵌める枠部とを備える。枠部は周縁部１０に配設された下枠４ｃを有する。浴室ユニット１００は、周縁部１０から浴槽１の底部１１までの深さＨ２が３５０ｍｍ以下であり、設置する床１１１から下枠４ｃの上端部までの高さ、即ち跨ぎ高さＨが５００ｍｍ以下である。【選択図】図３
2018186966.tif 000002
【特許請求の範囲】
【請求項１】
湯を溜める浴槽と、前記浴槽の下方に配設されたトラップ部と、前記浴槽を囲繞するように前記浴槽の周縁部に配設された壁体および扉と、前記扉を嵌める枠部と、を備える浴室ユニットにおいて、
前記枠部は前記周縁部に配設された下枠を有し、
前記周縁部から前記浴槽の底部までの深さが３５０ｍｍ以下であり、設置する床から前記下枠の上端部までの高さが５００ｍｍ以下であることを特徴とする浴室ユニット。
【請求項２】
前記周縁部から前記浴槽の底部までの深さが３２５ｍｍ以下であり、設置する床から前記下枠の上端部までの高さが４７５ｍｍ以下であることを特徴とする請求項１に記載の浴室ユニット。
【請求項３】
前記周縁部から前記浴槽の底部までの深さが２７５ｍｍ以上であり、設置する床から前記下枠の上端部までの高さが４２５ｍｍ以上であることを特徴とする請求項１に記載の浴室ユニット。
【請求項４】
湯を溜める浴槽と、前記浴槽の下方に配設されたトラップ部と、前記浴槽を囲繞するように前記浴槽の周縁部に配設された壁体および扉と、前記扉を嵌める枠部と、を備える浴室ユニットにおいて、
前記枠部は、前記周縁部に配設された下枠に、前記扉の底部に対向する対向面部が形成されていることを特徴とする浴室ユニット。
【請求項５】
前記対向面部は、前記下枠における最も高い位置に形成されていることを特徴とする請求項４に記載の浴室ユニット。
【発明の詳細な説明】
【技術分野】
【０００１】
本発明は、浴室ユニットに関する。
【背景技術】
【０００２】
近年では、専らシャワー装置から吐出される湯水を浴び、浴槽に溜めた湯に浸かることなく入浴を行う生活様式が見られるようになってきた。このような生活様式に合わせて、シャワー装置から吐出された湯水を受ける防水パンと、該防水パンを囲繞するように配設された壁部とを備えるコンパクトな浴室ユニットが考案されている。
【０００３】
例えば、特許文献１には、入浴可能な深さに湯を溜めることができる深型の防水パンを有し、防水パンの周縁部に配設された壁部もしくは天井部にシャワー装置を設けた浴室ユニットが開示されている。防水パンは、内部に湯を落とし込むための給湯手段を有しており、湯を溜めるための浴槽として機能する。防水パンには、給湯手段のほか、排水栓およびオーバーフロー用排水口が設けられている。また、浴室ユニットは、正面側に出入口を設けて扉を開閉自在に取り付けてある。
【先行技術文献】
【特許文献】
【０００４】
【特許文献１】実開平０３−０２９０８８号公報
【発明の概要】
【発明が解決しようとする課題】
【０００５】
特許文献１に記載の浴室ユニットは、排水栓およびオーバーフロー用排水口からの排水を建築側排水口へ流す排水部を防水パン下に設ける必要がある。特許文献１には、防水パン下に設ける排水部に関する記述が見られないものの、排水部がトラップ機能を有するような場合には排水部の高さ方向の寸法が大きくなり、これに伴って防水パンの周縁部の位置も高くなる。浴室ユニットは、正面側に設けられた出入口において防水パンの周縁部をユーザが跨いで移動する際に、防水パンの周縁部が高い位置にあると、跨ぎ難くなるという問題点があった。
【０００６】
浴室ユニットは、例えば見付け方向に延びる薄板状のレールが扉の下枠部分に突起していると、該下枠部分が設けられる防水パンの周縁部に手を着き難く、また足を載せ難くなるため、出入口が跨ぎ難いという印象をユーザに与えてしまう。
【０００７】
本発明は、斯かる事情に鑑みてなされたものであり、その目的とするところは、浴槽が壁体および扉で囲繞されており、浴室内外への移動が容易な浴室ユニットを提供することにある。
【課題を解決するための手段】
【０００８】
本発明に係る浴室ユニットは、湯を溜める浴槽と、前記浴槽の下方に配設されたトラップ部と、前記浴槽を囲繞するように前記浴槽の周縁部に配設された壁体および扉と、前記扉を嵌める枠部と、を備える浴室ユニットにおいて、前記枠部は前記周縁部に配設された下枠を有し、前記周縁部から前記浴槽の底部までの深さが３５０ｍｍ以下であり、設置する床から前記下枠の上端部までの高さが５００ｍｍ以下であることを特徴とする。
【０００９】
本発明に係る別の態様に係る浴室ユニットは、湯を溜める浴槽と、前記浴槽の下方に配設されたトラップ部と、前記浴槽を囲繞するように前記浴槽の周縁部に配設された壁体および扉と、前記扉を嵌める枠部と、を備える浴室ユニットにおいて、前記枠部は前記周縁部に配設された下枠に、前記扉の底部に対向する対向面部が形成されていることを特徴とする。
【発明の効果】
【００１０】
本発明によれば、浴室ユニットは、浴槽が壁体および扉で囲繞されており、浴室内外への移動が容易である。
【図面の簡単な説明】
【００１１】
【図１】本発明の実施形態に係る浴室ユニットの外観を示す斜視図である。
【図２】浴室ユニットの正面図である。
【図３】図２に示すＡ−Ａ線による浴室ユニットの断面図である。
【図４】扉の中央部における縦断面図である。
【図５】車輪部の外観を示す斜視図である。
【図６】着座乳頭高および着座ウエスト基点高の試算値を示す図表である。
【図７】半身浴における湯の深さに関する評価内容を示す図表である。
【発明を実施するための形態】
【００１２】
以下、本発明を好適な実施の形態をもとに図１から図７を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１３】
（実施形態）
図１は本発明の実施形態に係る浴室ユニット１００の外観を示す斜視図、図２は浴室ユニット１００の正面図、図３は図２に示すＡ−Ａ線による浴室ユニット１００の断面図である。浴室ユニット１００は、浴槽１、扉２、枠部４、壁部６１および排水部７等を備える。浴槽１は、平面視矩形状をなし、湯を溜めることができる深皿状であり、底部１１に排水口１２を有する。浴槽１の下方には、排水口１２に接続される排水部７が設けられている。浴槽１は、周縁部１０に配設された壁部６１および扉２によって周囲が覆われて囲繞されており、上方を天井６２によって覆われている。
【００１４】
浴槽１は、直方体状のフレーム構造体である架台８０の上部に周縁部１０が支持されており、該架台８０の内側に収容される。架台８０は、下部の四隅等に脚部８０ａを有し、脚部８０ａによって室内の床１１１に載置されている。尚、浴室ユニット１００は、浴槽１の上方の壁部６１に配設されるシャワー装置および吐水装置等を備えるが、これらの装置については図示を省略する。
【００１５】
壁部６１は、浴槽１の長手方向に沿う一側に配設された壁体６１ａ、浴槽１の長手方向の両端部であって壁体６１ａの両側に配設される壁体６１ｂおよび６１ｃで構成されている。扉２は、浴槽１の長手方向に沿う他側に配設されており、壁体６１ａに対向する。扉２は、引き違い戸であり、内障子２ａおよび外障子２ｂともスライドさせることにより開閉することができる。扉２は、浴槽１の周縁部１０および天井６２の間に設けられており、枠部４内に嵌め込まれている。
【００１６】
内障子２ａは、長方形状に組み立てられた戸先框２１、戸尻框２２、下框２３および上框２４の内側にガラス製または樹脂製等の板２０を嵌め込んで構成されている。また、外障子２ｂは、長方形状に組み立てられた戸先框３１、戸尻框３２、下框３３および上框３４の内側にガラス製または樹脂製等の板３０を嵌め込んで構成されている。
【００１７】
枠部４は、左縦枠４ａ、右縦枠４ｂ、下枠４ｃ、上枠４ｄおよび下端枠４ｅを備え、浴槽１の長手方向に沿う他側に配設されている。左縦枠４ａおよび右縦枠４ｂは、浴槽１の隅部に配設されており、浴槽１の周縁部１０の下方から上方に亘って直線状に延びている。左縦枠４ａおよび右縦枠４ｂの下端部は、浴室ユニット１００を載置する床１１１に接触または若干の隙間が空く程度に床１１１に近接している。左縦枠４ａおよび右縦枠４ｂは、上端側が、ほぼ天井６２の高さ位置まで延びている。下枠４ｃは、浴槽１の周縁部１０上に添うように、左縦枠４ａおよび右縦枠４ｂ間に設けられている。上枠４ｄは、左縦枠４ａおよび右縦枠４ｂの上端部に連結されている。また、下端枠４ｅは、左縦枠４ａおよび右縦枠４ｂの下端部に連結されている。
【００１８】
左縦枠４ａ、右縦枠４ｂ、下枠４ｃおよび下端枠４ｅで囲まれる領域には、着脱可能にエプロン部６３が嵌め込まれており、扉２側の浴槽１の側部を遮蔽する。エプロン部６３を取り外すことで、浴槽１の側方から浴槽１裏の排水部７の点検および修理等を行うことができる。尚、浴室ユニット１００は、浴槽１の側方に洗い場床が設けられておらず、浴槽１内で入浴が行われるものである。
【００１９】
排水部７は、トラップ部７１、オーバーフロー配管７２および排水管接続部７３を備え、床１１１と浴槽１との間に設けられる。トラップ部７１は、浴槽１の排水口１２に連結される受け口７１ａを有し、浴槽１からの排水を排水管接続部７３へ流す。トラップ部７１は、内部に水が溜まった状態を保ち、排水経路を排水で封じる。オーバーフロー配管７２は、一端部がトラップ部７１に連結され、他端部が浴槽１に設けられたオーバーフロー栓（図示略）に連結される。
【００２０】
排水管接続部７３は、一端部がトラップ部７１に連結され、他端部に排水配管が接続され、該排水配管は建築側の排水口に接続される。排水管接続部７３は、トラップ部７１からの排水を建築側の排水口へ流す。排水管接続部７３は、十分な排水量を確保するために、より内径寸法が大きい排水配管が接続できるものとする必要があり、例えばＡ５０（外径約６０ｍｍ）サイズの排水配管が接続できるものとする。排水管接続部７３は、トラップ部７１側から建築側の排水口へ向けて下降する勾配をつけてある。排水管接続部７３は、例えば１／５０の勾配をつけてあり、浴槽１の下方で１ｍの距離に亘って配管接続したときにトラップ部７１側と建築側の排水口側との高低差が２０ｍｍとなる。
【００２１】
図４は扉２の中央部における縦断面図であり、図５は車輪部３５の外観を示す斜視図である。図４において、紙面の左右方向は見込み方向であり、紙面に垂直な方向は見付け方向である。内障子２ａは、戸先框２１および戸尻框２２の上部に取り付けられた車輪部２５を有している。車輪部２５は、戸先框２１および戸尻框２２の上部に固定された本体部２５ａと、本体部２５ａに見込み方向の軸回りに回転可能に支持される車輪２５ｂとを有する。車輪２５ｂは、上枠４ｄに設けたレール部５１に載せられている。レール部５１は、細長い板状をなし、見込み方向に車輪２５ｂが載せられる程度の幅寸法を有し、上枠４ｄの全長に亘って延びる。内障子２ａは、レール部５１によって支持されており、車輪２５ｂが回転しながらレール部５１を走行することによって開閉する。
【００２２】
同様に、外障子２ｂは、戸先框３１および戸尻框３２の上部に取り付けられた車輪部３５を有している。車輪部３５は、戸先框３１および戸尻框３２の上部に固定された本体部３５ａと、本体部３５ａに見込み方向の軸回りに回転可能に支持される車輪３５ｂとを有する。車輪３５ｂは、上枠４ｄに設けたレール部５２に載せられている。レール部５２は、細長い板状をなし、見込み方向に車輪３５ｂが載せられる程度の幅寸法を有し、上枠４ｄの全長に亘って延びる。外障子２ｂは、レール部５１によって支持されており、車輪３５ｂが回転しながらレール部５１を走行することによって開閉する。
【００２３】
内障子２ａの下框２３は、下枠４ｃに案内される被案内板２６を有する。被案内板２６は、見付け方向に垂直な断面が逆さＬ字状をなし、下框２３の全長に亘って細長く延びる。被案内板２６は、Ｌ字状の水平な一辺側が下框２３の底部に取り付けられており、鉛直に配設される他辺側が後述する下枠４ｃの案内溝５４ｃに嵌め込まれる。外障子２ｂの下框３３は、下枠４ｃに案内される被案内板３６を有する。被案内板３６は、見付け方向に垂直な断面が逆さＬ字状をなし、下框３３の全長に亘って細長く延びる。被案内板３６は、Ｌ字状の水平な一辺側が下框３３の底部に取り付けられており、鉛直に配設される他辺側が後述する下枠４ｃの案内溝５４ｄに嵌め込まれる。
【００２４】
下枠４ｃは、基台部５３、並びに、内障子２ａおよび外障子２ｂを案内するガイド部５４を有する。浴槽１の扉２側の周縁部１０下方には、周縁部に沿って延びるフレーム体８０ｂが設けられており、フレーム体８０ｂにアングル部材８２が固定されている。アングル部材８２は、見付け方向の断面が横Ｌ字状をなし、左縦枠４ａから右縦枠４ｂに亘って延びる。基台部５３は、アングル部材８２に固定され、アングル部材８２と扉２側の浴槽１の周縁部１０とを跨ぐように設けられており、左縦枠４ａから右縦枠４ｂに亘って延びる。
【００２５】
基台部５３は、見込み方向における浴槽１の周縁部１０側に形成される座部５３ａ、見込み方向における周縁部１０側の反対側に形成される外縁部５３ｂ、およびガイド部５４を把持する把持部５３ｃを有する。座部５３ａの上面は、平坦状であり、浴槽１側に向うにつれて下降する緩い勾配をもつ。この勾配によって、座部５３ａの上面に降りかかった水は、浴槽１の周縁部１０へ流れ落ちる。外縁部５３ｂは、座部５３ａよりも一段高く形成されており、水が外部に流れ出ないように堰き止める。把持部５３ｃは、座部５３ａと外縁部５３ｂの間に形成されており、上方に開口する凹所をなす。
【００２６】
ガイド部５４は、脚部５４ａ、対向面部５４ｂ、案内溝５４ｃおよび案内溝５４ｄを有する。脚部５４ａは、基台部５３の把持部５３ｃに上方から差し込まれ、把持部５３ｃによって把持されている。ガイド部５４は、脚部５４ａを把持部５３ｃに差し込むことで基台部５３に取り付けられ、脚部５４ａを把持部５３ｃから引き抜くようにして取り外すことができる。
【００２７】
対向面部５４ｂは、内障子２ａの下框２３および外障子２ｂの下框３３の底部に対向するガイド部５４の上面として形成されている。対向面部５４ｂによって形成されるガイド部５４の上面は、平坦状であり、浴槽１側に向うにつれて下降する緩い勾配をもつ。この勾配によって、ガイド部５４の上面に降りかかった水は、浴槽１の周縁部１０へ流れ落ちる。案内溝５４ｃは、内障子２ａの下框２３に設けた被案内板２６に対応する位置において、対向面部５４ｂを穿つようにして左縦枠４ａから右縦枠４ｂに亘って設けられている。案内溝５４ｄは、外障子２ｂの下框３３に設けた被案内板３６に対応する位置において、対向面部５４ｂを穿つようにして左縦枠４ａから右縦枠４ｂに亘って設けられている。案内溝５４ｃおよび５４ｄの側面部には、水抜き孔（図示略）が設けられている。
【００２８】
案内溝５４ｃの開口部の縁にはパッキン５５が、案内溝５４ｄの開口部の縁にはパッキン５６が設けられている。パッキン５５は、内障子２ａの下框２３に設けた被案内板２６に接触する。パッキン５６は、外障子２ｂの下框３３に設けた被案内板３６に接触する。パッキン５５およびパッキン５６は、案内溝５４ｃおよび案内溝５４ｄにおける隙間を塞ぐことで、浴室ユニット１００内から扉２を通して外部へ水が流出することを防ぐ。パッキン５５およびパッキン５６は、見込み方向に突起して、案内溝５４ｃおよび案内溝５４ｄを部分的に覆うように配設されている。
【００２９】
対向面部５４ｂは、２つの案内溝５４ｃによって３つの部分に隔てられるが、各部分によって形成されるガイド部５４の上面の面積は、案内溝５４ｃの開口面積よりも広い。また、パッキン５５およびパッキン５６が、案内溝５４ｃおよび案内溝５４ｄの開口部の縁から見込み方向に突起するため、案内溝５４ｃの開口面積はより小さくなる。
【００３０】
次に浴槽１の周縁部１０を跨ぐ高さについて説明する。ユーザは、浴槽１の周縁部１０、より詳細には浴槽１の周縁部１０に配設された下枠４ｃを跨いで、浴室内外へ移動する。図３を参照し、浴室ユニット１００を設置する床１１１から下枠４ｃの上面までの跨ぎ高さＨは、排水部７を含む床１１１から浴槽１の底部１１までの高さＨ１、浴槽１の周縁部１０から底部１１までの深さＨ２、および浴槽１の周縁部１０から下枠２ｃの上面までの高さＨ３を加算した値となる。
【００３１】
高さＨ１は、排水部７の大きさによって変わるが、上述のように十分な排水量を確保するためには、排水管接続部７３にＡ５０（外径約６０ｍｍ）サイズの配管が接続できる必要がある。高さＨ１は、排水管接続部７３の配管長さおよび勾配（１／５０程度）等も考慮して試算すると１３０ｍｍ程度が典型的な寸法となる。また、高さＨ３は、下枠４ｃの強度に必要な各部品の肉厚、および剛性確保のための部品寸法を考慮して試算すると２０ｍｍ程度が典型的な寸法となる。高さＨ１および高さＨ２の合計寸法は、典型的に１５０ｍｍ程度となる。
【００３２】
浴槽１の周縁部１０から底部１１までの深さＨ２は、寸法が大きいほど湯を深く溜めることができるが、跨ぎ高さＨが大きくなって、ユーザが浴室内外へ移動する際に浴槽１の周縁部１０が跨ぎ難くなり利便性が低下する。一方、跨ぎ高さＨを小さくすれば、ユーザが浴室内外へ移動する際に浴槽１の周縁部１０が跨ぎ易くなるが、浴槽１に溜めることができる湯が浅くなる。
【００３３】
浴槽１は、いわゆる半身浴に適する浅型のものとする。半身浴は、浴槽１の底部１１に着座したユーザが心臓の位置まで湯を溜めずに入浴することで心臓への負担を減らして身体を温められることが大きな利点となっている。本発明に係る浴槽１は、浴槽１の周縁部１０から底部１１までの深さＨ２を、浴槽１に溜めることができる湯の最大深さとし、半身浴に適するように２５０ｍｍ以上、３５０ｍｍ以下としたものである。
【００３４】
人体の寸法については、書籍「日本人の人体寸法データブック２００４―２００６」、一般社団法人人間工学研究センターを参照する。同書籍のＰ．１２２記載によれば立位時の床面から乳頭点までの鉛直距離である乳頭高の平均値は、男性２０−２９歳で１２３１．９ｍｍである。また、同書籍のＰ．１２６記載によれば立位時の床面からウエスト基点までの鉛直距離であるウエスト基点高の平均値は、男性２０−２９歳で１０３９．０ｍｍである。また、同書籍のＰ．１４６記載によれば立位時の床面から臀溝点までの鉛直距離である臀溝高の平均値は、男性２０−２９歳で７５１．５ｍｍである。
【００３５】
浴槽１に着座した時の底部１１から乳頭点までの鉛直距離である着座乳頭高の平均値は、上述の乳頭高から臀溝高を減算した値であるとして試算すると、４８０．４ｍｍとなる。また、浴槽１に着座した時の底部１１からウエスト基点までの鉛直距離である着座ウエスト基点高の平均値は、上述のウエスト基点高から臀溝高を減算した値であるとして試算すると、２８７．５ｍｍとなる。
【００３６】
同様にして、男性５０−５９歳、女性２０−２９歳、および女性５０−５９歳を対象として試算する。図６は着座乳頭高および着座ウエスト基点高の試算値を示す図表である。男性の２０−２９歳および５０−５９歳について見ると、着座乳頭高および着座ウエスト基点高は同等である。また、女性の２０−２９歳および５０−５９歳について見ると、５０−５９歳で着座乳頭高がやや低いものの、着座ウエスト基点高は同等である。また、男性と女性で比較すると、着座乳頭高が女性で低く、着座ウエスト基点高が女性でやや低い。したがって、有意な差は、男性と女性に見られる着座乳頭高の違いであるため、以下の検討では、男性と女性の２ケースに分けることとする。
【００３７】
次に半身浴をするための浴槽１における湯を溜める深さについて検討する。図７は半身浴における湯の深さに関する評価内容を示す図表である。評価に当たり、湯の深さをパラメータとし、２００ｍｍから５００ｍｍまでを５０ｍｍ刻みで区分し、評価項目として半身浴適合性、湯量適正を挙げ、それぞれ男性と女性について評価した。
【００３８】
まず図７に基づき、男性における湯の深さの評価内容を説明する。半身浴適合性は、心臓への負担が少ないことを目的とした入浴スタイルとして適切かどうかを尺度としている。一般に、胸のみぞおち付近より下に湯を溜めることで半身浴が行われることが多い。半身浴として「不可」である場合に評価点を１点、「可」である場合に２点、「適切」である場合に３点を付けている。図７に示すように、湯の深さが４００ｍｍ以下では、男性の平均的な着座乳頭高４８０．４ｍｍ（２０−２９歳）および４７２．３ｍｍ（５０−５９歳）よりも湯面が約７０ないし８０ｍｍ程度低く、みぞおち付近またはそれより下に湯が溜められ「適切（３点）」である。湯の深さが４００―４５０ｍｍでは、４５０ｍｍ付近まで湯を溜めると、男性の平均的な着座乳頭高に湯面近づき、「可（２点）」程度であると評価される。４５０ｍｍ以上となると、湯面が着座乳頭高付近から上となり「不可（１点）」と評価される。
【００３９】
湯量適正は、湯の量が少なすぎると十分な半身浴が出来なくなることから、湯の深さが足りているか否かを尺度とし、「不足」である場合に評価点を１点、「やや不足」である場合に評価点を２点、「十分」である場合に３点を付けている。図７に示すように、湯の深さが２５０ｍｍ以下では、男性の平均的な着座ウエスト基点高２８７．５ｍｍ（２０−２９歳）および２８７．３ｍｍ（５０−５９歳）に満たず、湯量として「不足（１点）」であると評価される。湯の深さが２５０−３００ｍｍでは、男性の平均的な着座ウエスト基点高付近に湯を溜めることができるが「やや不足（２点）」であると評価される。湯の深さが３００ｍｍ以上では、男性の平均的な着座ウエスト基点高よりも上まで湯が溜められるので、「十分（３点）」と評価される。
【００４０】
次に女性における湯の深さの評価内容を説明する。半身浴適合性について、湯の深さが３５０−４００ｍｍの場合、４００ｍｍ付近まで湯を溜めると、女性の平均的な着座乳頭高４４６．０ｍｍ（２０−２９歳）および４２５．３ｍｍ（５０−５９歳）に近づき、「可（２点）」程度であると評価される。湯の深さが４００―４５０ｍｍでは、女性の平均的な着座乳頭高を超える湯面となる可能性があるため、「不可（１点）」程度であると評価される。
【００４１】
女性に関する湯量適正は、着座ウエスト基点高の男性との差が最も大きいところでも１２．４ｍｍ程度（２０−２９歳で比較）と僅かであるから、男性に関する湯量適正の評価と同じになる。
【００４２】
湯の深さの区分毎に評価点を合計して総合点を付けると、湯の深さが３００−３５０ｍｍが最も高い１２点（評価「特によい」）となり、次いで３５０−４００ｍｍが１１点（「良い」）との結果が得られた。湯の深さが２５０ｍｍ以下、４５０ｍｍ以上では、評価点は低く、湯の深さとして「悪い」との評価となった。湯の深さが２５０−３００ｍｍでは湯の深さが「やや不足」しており、４００−４５０ｍｍでは着座乳頭高を超える可能性もあるため、評価点が９点または１０点とやや低く、評価は「良悪なし」となった。
【００４３】
湯の高さに加えて、跨ぎ高さＨを検討する。跨ぎ高さＨは、上述の高さＨ１と高さＨ３の典型的な値を１３０ｍｍおよび２０ｍｍを、湯の深さに加算したものとする。湯の深さが３００−３５０ｍｍの場合、跨ぎ高さＨは４５０−５００ｍｍとなり、半身浴にも最も適し、浴槽１の周縁部１０も跨ぎ易くなるので、評価は良好となると考えられる。湯の深さが３５０−４００ｍｍ、および４００−４５０ｍｍの場合、跨ぎ高さＨは５００ｍｍを超え、跨ぎ難くさが顕著になるので、評価は下がると考えられる。湯の深さが２５０−３００ｍｍでは湯の深さが「やや不足」しているとの結果であったが、跨ぎ高さＨが４００−４５０ｍｍとなって跨ぎ易くなるので、評価は上がると考えられる。
【００４４】
したがって、浴槽１の深さＨ２を下限２５０ｍｍとし、上限３５０ｍｍとすることで、半身浴が男性にとっても女性にとっても「適切」に行うことができ、浴槽１の周縁部１０を跨ぎ易い浴槽１が得られる。また、評価区分である２５０−３００ｍｍにおける平均値２７５ｍｍ、および、評価区分である３００−３５０ｍｍにおける平均値３２５ｍｍをノミナル値と考えて、深さＨ２を下限２７５ｍｍとし、上限３２５ｍｍとしてもよい。この場合、深さＨ２が上限３２５ｍｍのときに、跨ぎ高さＨは４７５ｍｍとなり、跨ぎ易さがさらに良好となる。
【００４５】
例えば、浴槽１の深さＨ２を３１０ｍｍとし、床１１１から浴槽１の底部１１までの高さＨ１を１３２．５ｍｍ、下枠４ｃ部分の高さＨ３を１８．５ｍｍとすれば、跨ぎ高さＨは、４６１ｍｍとなり、半身浴に適し、浴室内外の移動が容易な浴室ユニット１００が得られる。尚、浴槽１にオーバーフロー栓が設けられており、該オーバーフロー栓を開状態として湯水を排出するようにして使用する場合には、実際に浴槽１に溜めることができる湯の深さは、周縁部１０よりも下の位置にあるオーバーフロー栓で規制されることになる。
【００４６】
次に浴室ユニット１００の作用について説明する。ユーザは扉２を開閉して浴室内外への移動を行う。内障子２ａまたは外障子２ｂを開状態としたときに、扉２側における浴槽１の周縁部１０には、下枠４ｃのガイド部５４が現れる。ガイド部５４は、上述のように対向面部５４ｂによってガイド部５４の上面が形成されており、ユーザが手を着き易く、足を載せ易いので、浴室内外への移動が容易となる。また、ユーザは、下枠４ｃ部分にガイド部５４の上面が形成されていることを目視により認識することができ、跨ぎ易いという印象を受け得る。
【００４７】
下枠４ｃにおける基台部５３の外縁部５３ｂは、ガイド部５４の上面とほぼ同じ高さの上面を有することで、ユーザがさらに手を着き易く、足を載せ易くなるので、浴室内外への移動がさらに容易となる。また、ユーザは、下枠４ｃにおいて広範囲な面が形成されていることを認識することができ、跨ぎ易いという印象をより受け易くなる。
【００４８】
下枠４ｃにおいて、パッキン５５およびパッキン５６は、見込み方向に突起し、案内溝５４ｃおよび案内溝５４ｄを部分的に覆うように配設されている。このため、案内溝５４ｃおよび案内溝５４ｄがパッキン５５およびパッキン５６によって部分的に塞がってガイド部５４の上面が広くなり、ユーザがさらに手を着き易く、足を載せ易くなるので、浴室内外への移動がさらに容易となる。また、ユーザは、下枠４ｃにおいてさらに広範囲な面が形成されていることを認識することができ、跨ぎ易いという印象をより受け易くなる。
【００４９】
また、上述のように、浴槽１の深さＨ２は、２５０ｍｍ以上、３５０ｍｍ以下とする。このとき、跨ぎ高さＨは、浴槽１の深さＨ２に、床１１１から浴槽１の底部１１までの高さＨ１の典型的な値１３０ｍｍ、および下枠４ｃ部分の高さＨ３の典型的な値２０ｍｍを加算した、４００ｍｍ以上、５００ｍｍ以下となる。これにより、浴室ユニット１００は、浴槽１での半身浴が男性にとっても女性にとっても「適切」に行うことができ、浴槽１の周縁部１０が跨ぎ易く、浴室内外の移動が容易となる。浴槽１が得られる。
【００５０】
また、評価区分である２５０−３００ｍｍにおける平均値２７５ｍｍ、および、評価区分である３００−３５０ｍｍにおける平均値３２５ｍｍをノミナル値と考えて、深さＨ２を下限２７５ｍｍとし、上限３２５ｍｍとしてもよい。この場合、深さＨ２が上限３２５ｍｍのときに、跨ぎ高さＨは４７５ｍｍとなり、跨ぎ易さがさらに良好となる。
【００５１】
次に、実施形態の浴室ユニット１００の特徴を説明する。
本発明の実施形態に係る浴室ユニット１００は、湯を溜める浴槽１と、浴槽１の下方に配設されたトラップ部７１と、浴槽１を囲繞するように浴槽１の周縁部１０に配設された壁体６１ａ、６１ｂおよび６１ｃ、並びに扉２と、扉２を嵌める枠部４とを備える。枠部４は周縁部１０に配設された下枠４ｃを有する。浴室ユニット１００は、周縁部１０から浴槽１の底部１１までの深さＨ２が３５０ｍｍ以下であり、設置する床１１１から下枠４ｃの上端部までの高さ、即ち跨ぎ高さＨが５００ｍｍ以下である。これによって、浴室ユニット１００は、浴槽１が半身浴に適し、浴室内外への移動が容易である。
【００５２】
また、浴室ユニット１００は、周縁部１０から浴槽１の底部１１までの深さＨ２が３２５ｍｍ以下であり、設置する床１１１から下枠４ｃの上端部までの高さ、即ち跨ぎ高さＨが４７５ｍｍ以下である。これにより、浴室ユニット１００は、浴室内外への移動がさらに容易となる。
【００５３】
また、浴室ユニット１００は、周縁部１０から浴槽１の底部１１までの深さＨ２が２７５ｍｍ以上であり、設置する床１１１から下枠４ｃの上端部までの高さ、即ち跨ぎ高さＨが４２５ｍｍ以上である。これにより、浴室ユニット１００は、浴槽１が半身浴に適する。
【００５４】
また、浴室ユニット１００は、湯を溜める浴槽１と、浴槽１の下方に配設されたトラップ部７１と、浴槽１を囲繞するように浴槽１の周縁部１０に配設された壁体６１ａ、６１ｂおよび６１ｃ、並びに扉２と、扉２を嵌める枠部４とを備える。枠部４は周縁部１０に配設された下枠４ｃに、扉２の底部、即ち下框２３および下框３３の底部に対向する対向面部５４ｂが形成されている。これにより、下枠４ｃ部分にユーザが手を着き易く、足を載せ易いので、浴室内外への移動が容易となる。
【００５５】
また対向面部５４ｂは、下枠４ｃにおける最も高い位置に形成されている。これにより、これにより、下枠４ｃのうち、最も高い位置にある対向面部５４ｂにユーザが最初に手足で触れることができる。
【００５６】
上述の実施形態においては、扉２として引き違い戸の例を示したが、扉２は引き戸、折れ戸等であってもよい。
【００５７】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５８】
１  浴槽、  １０  周縁部、  １１  底部、  ２  扉、  ４  枠部、  ４ｃ  下枠、
５４ｂ  対向面部、  ６１ａ，６１ｂ，６１ｃ  壁体、  ７１  トラップ部、
１００  浴室ユニット、  １１１  床。
【図１】
2018186966.tif 000003
【図２】
2018186966.tif 000004
【図３】
2018186966.tif 000005
【図４】
2018186966.tif 000006
【図５】
2018186966.tif 000007
【図６】
2018186966.tif 000008
【図７】
2018186966.tif 000009